(57)【要約】  【課題】  異なる規格のメモリカードを判読し、接触のエラーを防ぐカードリーダーを提供する。  【解決手段】本体に回動自在に設けられ、底端に凹状部を形成する回動ブロック、該回動ブロックの上端縁部の両端にそれぞれ形成されて該回動ブロックを回動自在に支持する支軸、及び一方の該支軸の端縁部に設けられ回転した回動ブロックを本来の位置に復帰させる回復手段とによってなり、該回動ブロックの支軸に当止溝を形成する読み取りエラー防止手段と、内部に複数の接続端子を設け、両壁面に該回動ブロックの支軸を支持する軸支座を設ける本体と、上面に弾性係合部及び該弾性係合部に連動して該支軸の当止溝に当止する当接部を具える上カバーとを含み構成する。【選択図】  図２
0003110642.tif 000002
【実用新案登録請求の範囲】
【請求項１】
上カバーと、本体と、読み取りエラー防止手段と、該本体内に設けられ、金属製の導電材によってなり、メモリカードに接触してデータと電力の伝送を行う複数の接続端子とを含み構成されるカードリーダーであって、
該読み取りエラー防止手段は、該本体に回動自在に設けられる回動ブロックと、該回動ブロックの上端縁部の両端にそれぞれ形成されて該回動ブロックを回動自在に支持する支軸と、一方の該支軸の端縁部に設けられて該回動ブロックが回転した場合、該本体を支点として該回動ブロックを本来の位置に復帰させる回復手段とによってなり、且つ該回動ブロックは底端に凹状部を形成し、該凹状部を形成することによってその両側に凸状部が形成され、該回動ブロックの支軸には当止溝を形成し、
該上カバーは、上面に弾性係合部と、該弾性係合部に連動し、該回動ブロックの支軸に形成する当止溝に当接して該回動ブロックの回転運動を制御する当接部を形成し、
該本体は、両壁面のそれぞれ対向する位置に該回動ブロックの支軸を支持する軸支座を設けること、を特徴とするカードリーダー。
【請求項２】
前記複数の接続端子がそれぞれ該本体の前後に位置し、それぞれ異なる規格のメモリカードに接触するように構成することを特徴とする請求項１に記載のカードリーダー。
【請求項３】
前記回復手段がリターンばね、伸縮ばね、もしくはコイルばねなどの弾性体であることを特徴とする請求項１に記載のカードリーダー。
【請求項４】
前記本体の両側壁の内壁には、正面からメモリカードを挿入する方向に沿って、上位置決め溝と下位置決め溝を形成し、該上位置決め溝と下位置決め溝との間には段差が形成され、階段状を呈することを特徴とする請求項１に記載のカードリーダー。
【考案の詳細な説明】
【技術分野】
【０００１】
この考案は、カードリーダーに関し、特に複数の規格のメモリカードを挿入できるカードリーダーの構造に関する。
【背景技術】
【０００２】
フラッシュメモリの規格は多種類ある。よって、カードリーダーの異なる規格に合わせ異なる設計にしなければならない。このため多種類の規格のメモリカードに対応できるカードリーダーが開発され、市販されている。これはメモリカードの規格がそれぞれ異なることによっておきる不都合を解消するためのものである。
【０００３】
メモリカードの異なる規格は厚さ、幅、長さ等の外形と、接触端子の位置によって区分される。従来の多種類の規格のメモリカードに対応するカードリーダーは、メモリカードを挿入するレール、もしくは接続端子の数量の差異と、異なる起動端子による挿入位置の判断によって異なる規格のメモリカードを判読する。
【０００４】
但し、カードリーダーの体積を縮小するために一つのスロットで複数の規格の異なるメモリカードに対応できるものが開発されてきた。係る目的を達成するための構造は、通常接続端子を積み重ねる方式でレイアウトする。従って、異なる規格で、メモリカードの厚さが一致するか、もしくは略同様のメモリカードを挿入した場合、メモリカードが異なる接続端子に接触し、接触のエラーを招く恐れがある。メモリカード自身の電源は、例えばコンピュータ等の本体から提供される。よって接続端子に電流が供給される。このため、接続端子に接触のエラーが発生するとメモリカード、もしくは本体に短絡が発生し、損傷を与える場合がある。
【考案の開示】
【考案が解決しようとする課題】
【０００５】
この考案は同一のスロットに挿入される、異なる規格のメモリカードを判読し、且つ接触のエラーを防ぐことのできるカードリーダーを提供することを課題とする。
【課題を解決するための手段】
【０００６】
そこで、本考案者は従来の技術に見られる欠点に鑑み鋭意研究を重ねた結果、上カバーと、本体と、読み取りエラー防止手段と、該本体内に設けられ、金属製の導電材によってなり、メモリカードに接触してデータと電力の伝送を行う複数の接続端子とを含み構成されるカードリーダーであって、該読み取りエラー防止手段は、該本体に回動自在に設けられる回動ブロックと、該回動ブロックの上端縁部の両端にそれぞれ形成されて該回動ブロックを回動自在に支持する支軸と、一方の該支軸の端縁部に設けられて該回動ブロックが回転した場合、該本体を支点として該回動ブロックを本来の位置に復帰させる回復手段とによってなり、且つ該回動ブロックは底端に凹状部を形成し、該凹状部を形成することによってその両側に凸状部が形成され、該回動ブロックの支軸には当止溝を形成し、該上カバーは、上面に弾性係合部と、該弾性係合部に連動し、該回動ブロックの支軸に形成する当止溝に当接して該回動ブロックの回転運動を制御する当接部を形成し、該本体は、両壁面のそれぞれ対向する位置に該回動ブロックの支軸を支持する軸支座を設けてなるカードリーダーの構造によって課題を解決できる点に着眼し、かかる知見に基づいて本発明を完成させた。
【０００７】
以下、この考案について具体的に説明する。
請求項１に記載するカードリーダーは、上カバーと、本体と、読み取りエラー防止手段と、該本体内に設けられ、金属製の導電材によってなり、メモリカードに接触してデータと電力の伝送を行う複数の接続端子とを含み構成されるカードリーダーであって、該読み取りエラー防止手段は、該本体に回動自在に設けられる回動ブロックと、該回動ブロックの上端縁部の両端にそれぞれ形成されて該回動ブロックを回動自在に支持する支軸と、一方の該支軸の端縁部に設けられて該回動ブロックが回転した場合、該本体を支点として該回動ブロックを本来の位置に復帰させる回復手段とによってなり、且つ該回動ブロックは底端に凹状部を形成し、該凹状部を形成することによってその両側に凸状部が形成され、該回動ブロックの支軸には当止溝を形成し、該上カバーは、上面に弾性係合部と、該弾性係合部に連動し、該回動ブロックの支軸に形成する当止溝に当接して該回動ブロックの回転運動を制御する当接部を形成し、該本体は、両壁面のそれぞれ対向する位置に該回動ブロックの支軸を支持する軸支座を設ける。
【０００８】
請求項２に記載するカードリーダーは、請求項１における複数の接続端子がそれぞれ該本体の前後に位置し、それぞれ異なる規格のメモリカードに接触するように構成する。
【０００９】
請求項３に記載するカードリーダーは、請求項１における回復手段がリターンばね、伸縮ばね、もしくはコイルばねなどの弾性体である。
【００１０】
請求項４に記載するカードリーダーは、請求項１における本体の両側壁の内壁に、正面からメモリカードを挿入する方向に沿って、上位置決め溝と下位置決め溝を形成し、該上位置決め溝と下位置決め溝との間には段差が形成され、階段状を呈する。
【考案の効果】
【００１１】
本考案のカードリーダーは同一のスロットに挿入される、異なる規格のメモリカードを判読し、且つ接触のエラーを防ぐことができ、メモリカードの安全性を確保するとともに、カードリーダーの体積を大幅に縮小できるため、実用性を高めるという利点がある。
【考案を実施するための最良の形態】
【００１２】
この考案は、同一のスロットに異なる規格のメモリカードを挿入できるカードリーダーを提供するものであって、上カバーと、本体と、読み取りエラー防止手段と、該本体内に設けられ、金属製の導電材によってなり、メモリカードに接触してデータと電力の伝送を行う複数の接続端子とを含み構成され、該読み取りエラー防止手段は、該本体に回動自在に設けられる回動ブロックと、該回動ブロックの上端縁部の両端にそれぞれ形成されて該回動ブロックを回動自在に支持する支軸と、一方の該支軸の端縁部に設けられて該回動ブロックが回転した場合、該本体を支点として該回動ブロックを本来の位置に復帰させる回復手段とによってなり、且つ該回動ブロックは底端に凹状部を形成し、該凹状部を形成することによってその両側に凸状部が形成され、該回動ブロックの支軸には当止溝を形成し、該上カバーは、上面に弾性係合部と、該弾性係合部に連動し、該回動ブロックの支軸に形成する当止溝に当接して該回動ブロックの回転運動を制御する当接部を形成し、該本体は、両壁面のそれぞれ対向する位置に該回動ブロックの支軸を支持する軸支座を設けてカードリーダーを構成することにより、異なる規格のメモリカードを判読し、且つ接触のエラーを防ぐという目的を、実現した。
係る構成のカードリーダーについて、その構造と特徴を詳述するために具体的な実施例を挙げ、以下に説明する。
【実施例１】
【００１３】
この考案によるカードリーダーは図１、２に開示するように、少なくとも上カバー１と、本体２と読み取りエラー防止手段３、３’と、複数の接続端子２４、２４ａを含み構成される。
【００１４】
上カバー１は断面が略コの字状を呈し、対向する両側壁に係合孔１０、１０’をそれぞれ形成する。また、本体２の側壁の該係合孔１０、１０’に対応する位置には、該係合孔１０、１０’に係合する係合部２３、２３’を形成する。更に上カバー１上面には、両側壁に近接した位置にそれぞれ弾性係合部１２、１２’を形成する。また、該弾性係合部１２、１２’に近接した位置には弾性係合部１２、１２’に連動する当接部１１、１１’を形成する。
【００１５】
本体２の両側壁の内壁には、正面からメモリカードを挿入する方向に沿って、上位置決め溝２１と下位置決め溝２２を形成し、該上位置決め溝２１と下位置決め溝２２との間には段差２１１、２２１が形成され、階段状を呈する。係る構造は同一のスロットに異なる規格のメモリカードを挿入するためである。また、本体２の底部には複数の貫通溝２４０を形成して接続端子２４、２４ａを嵌着する。接続端子２４、２４ａは金属製の導電材によってなり、メモリカードに接触してデータと電力の伝送を行う。接続端子２４、２４ａはそれぞれ前後に位置し、それぞれの接点が特定の規格のメモリカードに接触する。
【００１６】
上位置決め溝２１と下位置決め溝２２を形成する両壁面には、それぞれ対向する位置に軸支座２０、２０’を設ける。読み取りエラー防止手段３は、該軸支座２０、２０’に回動自在に設けられる回動ブロック３１と、該回動ブロック３１の上端縁部の両端にそれぞれ形成され、回動ブロック３１を回動自在に支持する支軸３４、３４’と、一方の支軸３４の端縁部に設ける回復手段３２とによってなる。回復装置３２はリターンばね、伸縮ばね、もしくはコイルばねなどの弾性体であって、回動ブロック３１が軸支座２０、２０’で回転した場合、本体を支点とし、付勢力で回動ブロック３１を本来の位置に復帰させる作用を有する。該回動ブロック３１は底端に凹状部３５を形成し、該凹状部３５を形成することによってその両側に凸状部３６、３６’が形成される。凹状部３５の深さは特定の規格のメモリカードが貫通できる深さとする。即ち特定のメモリカードだけが該凹状部３５を通過して挿入される。他の厚さのメモリカードは両側の凸状部３６、３６’に当接し、回動ブロック３１を押し圧し、回転させて挿入される。
【００１７】
図３、４に開示するように、回動ブロック３１の支軸３４、３４’にはそれぞれ当止溝３３、３３’を形成する。当止溝３３、３３’は上カバー１の当接部１１、１１’に対応して形成され、回動ブロック３１の下端が本体２の底面に向かっている状態において、上カバー１の当接部１１、１１’が当止溝３３、３３’に当止し、回動ブロック３１の動作を制限する。所定の規格のメモリカードを挿入し、該メモリカードが上カバー１の弾性係合部１２、１２’に当接し、上方に押し圧した場合、当接部１１、１１’の当止溝３３、３３’に対する動作の制限が開放され、回動ブロック３１が回転する。また弾性係合部１２、１２’に当接しない他の規格のメモリカードを挿入した場合、当接部１１、１１’は当止溝３３、３３’に対する動作の制限を開放することなく、このため回動ブロック３１は動作が制限されて回転しない。
【００１８】
図５、６に開示するように薄いメモリカードＡを挿入した場合、段差２２１は挿入位置を間違えないように形成されたものであって、メモリカードＡを下位置決め溝２２にガイドする。メモリカードＡは幅が狭いため、読み取りエラー防止手段３、３’の凹状部３５を通過してメモリカードの挿入孔よりに設けられた接続端子２４に接触する。比較的厚いメモリカードＢを挿入すると、段差２２１は挿入位置を間違えないように形成されたものであって、メモリカードＢを上位置決め溝２１にガイドする。メモリカードＢは幅が広いため、上カバー１の弾性係合部１２、１２’を上方に押し圧し、且つ回動ブロック３１の凸部３６に当接する。弾性係合部１２、１２’が上方に押上げられると当接部１１、１１’は回動ブロック３１の当止溝３３、３３’から離れ、回動ブロック３１に対する動作の制限が開放される。よって回動ブロック３１はメモリカードＢの挿入によって回転し、読み取りエラー防止手段３、３’を通過し、後方に設けられた接続端子２４に接触する。
【００１９】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００２０】
【図１】この考案によるカードリーダーの斜視図である。
【図２】図１に開示するカードリーダーの分解図である。
【図３】図１に開示するＡ−Ａ線に沿った断面図と内部構造を示した説明図である。
【図４】図１に開示するＡ−Ａ線に沿った断面図である。
【図５】この考案によるカードリーダーに、メモリカードを挿入した状態を示した説明図である。
【図６】この考案によるカードリーダーに、他の規格のメモリカードを挿入した状態を示した説明図である。
【符号の説明】
【００２１】
１                 上カバー
１０、１０’              係合孔
１１、１１’              当接部
１２、１２’              弾性係合部
２                 本体
２０、２０’              軸支座
２１               上位置決め溝
２１１                    段差
２２               下位置決め溝
２２１                    段差
２３、２３’              係合部
２４、２４ａ              接続端子
２４０                    貫通溝
３、３’           エラー防止手段
３１               回動ブロック
３２               回復手段
３３、３３’              当止溝
３４、３４’              支軸
３５、                    凹状部
３６、３６’              凸状部
【図１】
0003110642.tif 000003
【図２】
0003110642.tif 000004
【図３】
0003110642.tif 000005
【図４】
0003110642.tif 000006
【図５】
0003110642.tif 000007
【図６】
0003110642.tif 000008